(57)【要約】【課題】光ディスク記録再生装置において、光ディスク上の情報記録位置による記録品質の差異を低減し、記録品質の最適化を行うことができる。【解決手段】光ディスク記録再生装置は、テスト記録動作により、パラメータ記憶部に記憶している記録補償パラメータを内周部用記録補償パラメータとして設定し（＃３）、光ディスクの内周部にテスト用の記録マークを形成して、このテスト用の記録マークを読取ったときの読取信号を基に情報記録用パワーを設定し（＃４〜＃６）、光ディスクの外周部にテスト用の記録マークを形成して、このテスト用の記録マークを読取ったときの読取信号を基に外周部用記録補償パラメータを設定する（＃７〜＃２０）。そして、光ディスク記録再生装置は、テスト記録動作で設定したパワー及び記録補償パラメータの記録光により、光ディスク２に情報を記録する本番記録動作を行う。【選択図】図４
2007035220.tif 000002
【特許請求の範囲】
【請求項１】
相変化型の光ディスクにパルス変調した記録光を照射して、周囲と異なる光の反射を起こす記録マークを形成することにより、光ディスクに情報を記録し、また、光ディスクからの反射光を受光して、その反射光強度に応じた読取信号を出力することにより、光ディスクに記録されている情報を読取る光ヘッドと、
前記光ヘッドにより光ディスクにテスト用の記録マークを形成し、このテスト用の記録マークを前記光ヘッドにより読取り、そのときに前記光ヘッドから出力される読取信号を基に光ディスクに情報記録用の記録マークを形成するときの記録光のパワー及びパルス変調に関する記録補償パラメータを設定するテスト記録手段と、
前記光ヘッドにより前記テスト記録手段で設定されたパワー及び記録補償パラメータの記録光で光ディスクに情報を記録する本番記録手段と、を備える光ディスク記録再生装置において、
前記記録光は、先頭のトップパルス、該トップパルスに続くマルチパルス、及び最後尾のクーリングパルスを含むパルス変調光であり、
前記記録光のトップパルス幅、マルチパルス幅、及びクーリングパルス幅を含むパルス変調に関する記録補償パラメータを予め記憶したパラメータ記憶部をさらに備え、
前記テスト記録手段は、
前記パラメータ記憶部に記憶されている記録補償パラメータを、前記記録光の情報記録用の記録マークを光ディスクの内周部に形成するときの内周部用記録補償パラメータとして設定する内周部用パラメータ設定手段と、
前記内周部用パラメータ設定手段で設定した内周部用記録補償パラメータの記録光により光ディスクの内周部にテスト用の記録マークを形成し、このテスト用の記録マークを読取ったときの読取信号のジッタ、エラーレート、変調度、及びアシンメトリを基に、前記記録光の情報記録用の記録マークを光ディスクに形成するときの情報記録用パワーを設定する情報記録パワー設定手段と、
前記情報記録パワー設定手段で設定した情報記録用パワーの記録光により光ディスクの前記内周部よりも外周の外周部にテスト用の記録マークを形成し、このテスト用の記録マークを読取ったときの読取信号のジッタ、エラーレート、変調度、及びアシンメトリを基に、前記記録光の情報記録用の記録マークを光ディスクの外周部に形成するときの外周部用記録補償パラメータを設定する外周部用パラメータ設定手段とを有し、
前記外周部用パラメータ設定手段は、
前記内周部用記録補償パラメータで設定した内周部用記録補償パラメータの記録光によりテスト用の記録マークを形成する記録マーク形成ステップと、
テスト用の記録マークを読取って、そのときの読取信号のジッタ、エラーレート、変調度、及びアシンメトリを測定する測定ステップと、
前記測定ステップで測定したジッタ及びエラーレートが適正な範囲内であるか否かを判別するジッタ・エラーレート判別ステップと、
前記ジッタ・エラーレート判別ステップでジッタ及びエラーレートが適正な範囲内でないと判別された場合に、前記測定ステップで測定した変調度が目標値付近であるか否かを判別する変調度判別ステップと、
前記変調度判別ステップで変調度が目標値付近でないと判別された場合に、変調度が目標値よりも大きければ、記録補償パラメータのマルチパルス幅を長くし、変調度が目標値よりも小さければ、記録補償パラメータのマルチパルス幅を短くするマルチパルス変更ステップと、
前記変調度判別ステップで変調度が目標値付近であると判別された場合に、前記測定ステップで測定したアシンメトリが目標値付近であるか否かを判別するアシンメトリ判別ステップと、
前記アシンメトリ判別ステップでアシメトリが目標値付近でないと判別された場合に、アシンメトリが目標値よりも大きければ、記録補償パラメータのクーリングパルス幅を短くし、アシンメトリが目標値よりも小さければ、記録補償パラメータのクーリングパルス幅を長くするクーリングパルス変更ステップと、
前記マルチパルス変更ステップで及びクーリングパルス変更ステップでマルチパルス幅及びクーリングパルス幅を変更した後の記録補償パラメータの記録光によりテスト用の記録マークを形成して、前記測定ステップ以降を繰り返す繰り返しステップと、
前記ジッタ・エラーレート判別ステップでジッタ及びエラーレートが適正な範囲内であると判別された場合、又は前記アシンメトリ判別ステップでアシメトリが目標値付近であると判別された場合に、そのときの記録補償パラメータを外周部用記録補償パラメータとして設定するパラメータ設定ステップとを実行するものであり、
前記本番記録手段は、
前記内周部用パラメータ設定手段で設定した内周部用記録補償パラメータ、及び前記情報記録パワー設定手段で設定した情報記録用パワーの記録光で、光ディスクの内周部から情報の記録を行う内周部記録手段と、
前記内周部記録手段による情報の記録位置が所定の目標記録位置に達したときに、該目標記録位置に記録した情報を前記光ヘッドにより読取り、そのときに前記光ヘッドから出力される読取信号のジッタ、エラーレート、変調度、及びアシンメトリを測定する記録品質測定手段と、
前記記録品質測定手段で測定したジッタ及びエラーレートが適正な範囲内である場合、前記内周部記録手段によるのと同じ内周部用記録補償パラメータ及び情報記録用パワーの記録光で情報の記録動作を継続し、ジッタ及びエラーレートが適正な範囲内でない場合、変調度又はアシンメトリのいずれか一方が目標値付近でなければ、記録補償パラメータを変更して、前記外周部用パラメータ設定手段で設定した外周部用記録補償パラメータ及び情報記録用パワーの記録光で情報の記録動作を継続し、変調度及びアシンメトリの両方が目標値付近であれば、前記内周部記録手段によるのと同じ内周部用記録補償パラメータ及び情報記録用パワーの記録光で情報の記録動作を継続する外周部記録手段とを有する、ことを特徴とする光ディスク記録再生装置。
【請求項２】
光ディスクにパルス変調した記録光を照射して、周囲と異なる光の反射を起こす記録マークを形成することにより、光ディスクに情報を記録し、また、光ディスクからの反射光を受光して、その反射光強度に応じた読取信号を出力することにより、光ディスクに記録されている情報を読取る光ヘッドと、
前記光ヘッドにより光ディスクにテスト用の記録マークを形成し、このテスト用の記録マークを前記光ヘッドにより読取り、そのときに前記光ヘッドから出力される読取信号を基に光ディスクに情報記録用の記録マークを形成するときの記録光のパワー及びパルス変調に関する記録補償パラメータを設定するテスト記録手段と、
前記光ヘッドにより前記テスト記録手段で設定されたパワー及び記録補償パラメータの記録光で光ディスクに情報を記録する本番記録手段と、を備える光ディスク記録再生装置において、
前記テスト記録手段は、
前記記録光の光ディスクに情報を記録するときの情報記録用パワーを設定する情報記録パワー設定手段と、
前記記録光の光ディスクの内周部に情報を記録するときの内周部用記録補償パラメータを設定する内周部用パラメータ設定手段と、
前記記録光の光ディスクの外周部に情報を記録するときの外周部用記録補償パラメータを設定する外周部用パラメータ設定手段とを有し、
前記本番記録手段は、
前記内周部用パラメータ設定手段で設定した内周部用記録補償パラメータ、及び前記情報記録パワー設定手段で設定した情報記録用パワーの記録光で、光ディスクの内周部から情報の記録を行う内周部記録手段と、
前記内周部記録手段による情報の記録位置が所定の目標記録位置に達した後、記録補償パラメータの値を変更して、前記外周部用パラメータ設定手段で設定した外周部用記録補償パラメータ及び情報記録用パワーの記録光で情報の記録動作を継続する外周部記録手段とを有する、ことを特徴とする光ディスク記録再生装置。
【請求項３】
前記本番記録手段は、前記内周部記録手段による情報の記録位置が所定の目標記録位置に達したときに、該目標記録位置に記録した情報を前記光ヘッドにより読取り、そのときに前記光ヘッドから出力される読取信号を基に目標記録位置における情報の記録品質を測定する記録品質測定手段をさらに備え、
前記外周部記録手段は、前記記録品質測定手段で測定した記録品質が基準を満たしている場合に、前記内周部記録手段によるのと同じ内周部用記録補償パラメータ及び情報記録用パワーの記録光で情報の記録動作を継続し、記録品質が基準を満たしていない場合に、記録補償パラメータの値を変更して、前記外周部用パラメータ設定手段で設定した外周部用記録補償パラメータ及び情報記録用パワーの記録光で情報の記録動作を継続する、ことを特徴とする請求項２に記載の光ディスク記録再生装置。
【発明の詳細な説明】
【技術分野】
【０００１】
本発明は、例えばＣＤやＤＶＤ等の光ディスクから情報を再生する光ディスク記録再生装置に関するものである。
【背景技術】
【０００２】
従来から、光ディスク記録再生装置は、スピンドルモータにより光ディスクを高速で回転させながら、光ヘッドにより光ディスクにレーザ光を照射して、光ディスクに周囲よりも反射率の低い記録マークを形成することにより、光ディスクに情報を記録するようになっている。記録マークは、レーザ光の照射された箇所の記録層材質が相変化を起こすことにより形成される。また、光ディスク記録再生装置は、スピンドルモータにより光ディスクを高速で回転させながら、光ヘッドにより光ディスクにレーザ光を照射して光ディスクからの反射光を受光し、光ヘッドが光ディスクからの反射光強度に応じた読取信号を出力することにより、光ディスクに記録されている情報を読取るようになっている。
【０００３】
記録マークを形成するためのレーザ光（記録光）はパルス変調されており、記録光のパワーやパルス変調に関する記録補償パラメータが適正でないと、その記録光で記録した情報の記録品質は劣悪なものとなる。情報の記録品質が劣悪であると、その情報を読取ったときの読取信号に含まれる誤りが多くなり、情報の再生を安定して行うことができなくなる。
【０００４】
記録光の適切なパワー及び記録補償パラメータは、各製造メーカの光ディスクによって異なっており、このため、光ディスク記録再生装置は、各製造メーカの光ディスク毎に記録光の適切な記録補償パラメータを予め記憶している。しかしながら、実際には、同じ製造メーカの光ディスクであっても、光ディスクや光ディスク記録再生装置の個体ばらつきや経時変化などのために、記録光の適切なパワー及び記録補償パラメータは、情報を記録する度に異なったものとなる。
【０００５】
そこで、このような光ディスク記録再生装置では、記録光のパワーを最適なパワーに設定するためにテスト記録動作を行っている。従来のテスト記録動作では、光ディスク記録再生装置に予め記憶している記録補償パラメータを最適な記録補償パラメータとして採用し、この記録補償パラメータを変化させずに幾つかの異なるパワーに変化させた記録光により光ディスクにテスト用の記録マークを形成し、このテスト用の記録マークを読取ったときの読取信号を基に情報の記録品質を測定して、情報記録時の記録光の最適なパワーを設定するようになっている。
【０００６】
従来の光ディスク記録再生装置は、このようなテスト記録動作を光ディスクの挿入時に行い、そして、予め記憶していた記録補償パラメータ及びテスト記録動作で設定したパワーの記録光により、記録マークを形成して情報を記録するようになっている。一度設定された記録光のパワーは、別の光ディスクが挿入されるまで変更されることはなく、その光ディスクが排出されるまで、同じ記録補償パラメータ及びパワーの記録光によって情報の記録動作が行われる。
【０００７】
また、記録光の記録補償パラメータ及びパワーを幾つかの値に変化させてテスト記録動作を行い、記録光の最適な記録補償パラメータ及び最適なパワーを設定するようにした光ディスク記録再生装置が知られている（例えば特許文献１参照）。
【特許文献１】特開２００４−２９６０６８号公報
【発明の開示】
【発明が解決しようとする課題】
【０００８】
ところで、光ディスクに同じ記録補償パラメータ及びパワーの記録光により情報を記録しても、光ディスク上の情報記録位置（例えば内周部と外周部）によって、記録品質に差異が生じることが判明した。上述した従来の光ディスク記録再生装置においては、一度挿入された光ディスクが排出されるまで同じ記録補償パラメータ及びパワーの記録光によって情報の記録動作を行うため、そのとき挿入されている光ディスクに対して、光ディスク上の全ての位置で同じ記録補償パラメータ及びパワーの記録光によって情報が記録されることになる。従って、上述した従来の光ディスク記録再生装置においては、光ディスク上の情報記録位置によって記録品質に差異が生じ、記録品質が悪化する虞がある。なお、上述した特許文献１には、光ディスク上の位置によって記録光の記録補償パラメータ及びパワーを変更する旨については記載されておらず、従って、特許文献１に開示の内容を適用したとしても、上記の課題を解決することはできない。
【０００９】
本発明は、上記課題を解決するためになされたものであり、光ディスク上の情報記録位置による記録品質の差異を低減し、記録品質の最適化を行うことができる光ディスク記録再生装置を提供することを目的とする。
【課題を解決するための手段】
【００１０】
上記目的を達成するために請求項１の発明は、相変化型の光ディスクにパルス変調した記録光を照射して、周囲と異なる光の反射を起こす記録マークを形成することにより、光ディスクに情報を記録し、また、光ディスクからの反射光を受光して、その反射光強度に応じた読取信号を出力することにより、光ディスクに記録されている情報を読取る光ヘッドと、前記光ヘッドにより光ディスクにテスト用の記録マークを形成し、このテスト用の記録マークを前記光ヘッドにより読取り、そのときに前記光ヘッドから出力される読取信号を基に光ディスクに情報記録用の記録マークを形成するときの記録光のパワー及びパルス変調に関する記録補償パラメータを設定するテスト記録手段と、前記光ヘッドにより前記テスト記録手段で設定されたパワー及び記録補償パラメータの記録光で光ディスクに情報を記録する本番記録手段と、を備える光ディスク記録再生装置において、前記記録光は、先頭のトップパルス、該トップパルスに続くマルチパルス、及び最後尾のクーリングパルスを含むパルス変調光であり、前記記録光のトップパルス幅、マルチパルス幅、及びクーリングパルス幅を含むパルス変調に関する記録補償パラメータを予め記憶したパラメータ記憶部をさらに備え、前記テスト記録手段は、前記パラメータ記憶部に記憶されている記録補償パラメータを、前記記録光の情報記録用の記録マークを光ディスクの内周部に形成するときの内周部用記録補償パラメータとして設定する内周部用パラメータ設定手段と、前記内周部用パラメータ設定手段で設定した内周部用記録補償パラメータの記録光により光ディスクの内周部にテスト用の記録マークを形成し、このテスト用の記録マークを読取ったときの読取信号のジッタ、エラーレート、変調度、及びアシンメトリを基に、前記記録光の情報記録用の記録マークを光ディスクに形成するときの情報記録用パワーを設定する情報記録パワー設定手段と、前記情報記録パワー設定手段で設定した情報記録用パワーの記録光により光ディスクの前記内周部よりも外周の外周部にテスト用の記録マークを形成し、このテスト用の記録マークを読取ったときの読取信号のジッタ、エラーレート、変調度、及びアシンメトリを基に、前記記録光の情報記録用の記録マークを光ディスクの外周部に形成するときの外周部用記録補償パラメータを設定する外周部用パラメータ設定手段とを有し、前記外周部用パラメータ設定手段は、前記内周部用記録補償パラメータで設定した内周部用記録補償パラメータの記録光によりテスト用の記録マークを形成する記録マーク形成ステップと、テスト用の記録マークを読取って、そのときの読取信号のジッタ、エラーレート、変調度、及びアシンメトリを測定する測定ステップと、前記測定ステップで測定したジッタ及びエラーレートが適正な範囲内であるか否かを判別するジッタ・エラーレート判別ステップと、前記ジッタ・エラーレート判別ステップでジッタ及びエラーレートが適正な範囲内でないと判別された場合に、前記測定ステップで測定した変調度が目標値付近であるか否かを判別する変調度判別ステップと、前記変調度判別ステップで変調度が目標値付近でないと判別された場合に、変調度が目標値よりも大きければ、記録補償パラメータのマルチパルス幅を長くし、変調度が目標値よりも小さければ、記録補償パラメータのマルチパルス幅を短くするマルチパルス変更ステップと、前記変調度判別ステップで変調度が目標値付近であると判別された場合に、前記測定ステップで測定したアシンメトリが目標値付近であるか否かを判別するアシンメトリ判別ステップと、前記アシンメトリ判別ステップでアシメトリが目標値付近でないと判別された場合に、アシンメトリが目標値よりも大きければ、記録補償パラメータのクーリングパルス幅を短くし、アシンメトリが目標値よりも小さければ、記録補償パラメータのクーリングパルス幅を長くするクーリングパルス変更ステップと、前記マルチパルス変更ステップで及びクーリングパルス変更ステップでマルチパルス幅及びクーリングパルス幅を変更した後の記録補償パラメータの記録光によりテスト用の記録マークを形成して、前記測定ステップ以降を繰り返す繰り返しステップと、前記ジッタ・エラーレート判別ステップでジッタ及びエラーレートが適正な範囲内であると判別された場合、又は前記アシンメトリ判別ステップでアシメトリが目標値付近であると判別された場合に、そのときの記録補償パラメータを外周部用記録補償パラメータとして設定するパラメータ設定ステップとを実行するものであり、前記本番記録手段は、前記内周部用パラメータ設定手段で設定した内周部用記録補償パラメータ、及び前記情報記録パワー設定手段で設定した情報記録用パワーの記録光で、光ディスクの内周部から情報の記録を行う内周部記録手段と、前記内周部記録手段による情報の記録位置が所定の目標記録位置に達したときに、該目標記録位置に記録した情報を前記光ヘッドにより読取り、そのときに前記光ヘッドから出力される読取信号のジッタ、エラーレート、変調度、及びアシンメトリを測定する記録品質測定手段と、前記記録品質測定手段で測定したジッタ及びエラーレートが適正な範囲内である場合、前記内周部記録手段によるのと同じ内周部用記録補償パラメータ及び情報記録用パワーの記録光で情報の記録動作を継続し、ジッタ及びエラーレートが適正な範囲内でない場合、変調度又はアシンメトリのいずれか一方が目標値付近でなければ、記録補償パラメータを変更して、前記外周部用パラメータ設定手段で設定した外周部用記録補償パラメータ及び情報記録用パワーの記録光で情報の記録動作を継続し、変調度及びアシンメトリの両方が目標値付近であれば、前記内周部記録手段によるのと同じ内周部用記録補償パラメータ及び情報記録用パワーの記録光で情報の記録動作を継続する外周部記録手段とを有するものである。
【００１１】
請求項２の発明は、光ディスクにパルス変調した記録光を照射して、周囲と異なる光の反射を起こす記録マークを形成することにより、光ディスクに情報を記録し、また、光ディスクからの反射光を受光して、その反射光強度に応じた読取信号を出力することにより、光ディスクに記録されている情報を読取る光ヘッドと、前記光ヘッドにより光ディスクにテスト用の記録マークを形成し、このテスト用の記録マークを前記光ヘッドにより読取り、そのときに前記光ヘッドから出力される読取信号を基に光ディスクに情報記録用の記録マークを形成するときの記録光のパワー及びパルス変調に関する記録補償パラメータを設定するテスト記録手段と、前記光ヘッドにより前記テスト記録手段で設定されたパワー及び記録補償パラメータの記録光で光ディスクに情報を記録する本番記録手段と、を備える光ディスク記録再生装置において、前記テスト記録手段は、前記記録光の光ディスクに情報を記録するときの情報記録用パワーを設定する情報記録パワー設定手段と、前記記録光の光ディスクの内周部に情報を記録するときの内周部用記録補償パラメータを設定する内周部用パラメータ設定手段と、前記記録光の光ディスクの外周部に情報を記録するときの外周部用記録補償パラメータを設定する外周部用パラメータ設定手段とを有し、前記本番記録手段は、前記内周部用パラメータ設定手段で設定した内周部用記録補償パラメータ、及び前記情報記録パワー設定手段で設定した情報記録用パワーの記録光で、光ディスクの内周部から情報の記録を行う内周部記録手段と、前記内周部記録手段による情報の記録位置が所定の目標記録位置に達した後、記録補償パラメータの値を変更して、前記外周部用パラメータ設定手段で設定した外周部用記録補償パラメータ及び情報記録用パワーの記録光で情報の記録動作を継続する外周部記録手段とを有するものである。
【００１２】
請求項３の発明は、請求項２に記載の光ディスク記録再生装置において、前記本番記録手段は、前記内周部記録手段による情報の記録位置が所定の目標記録位置に達したときに、該目標記録位置に記録した情報を前記光ヘッドにより読取り、そのときに前記光ヘッドから出力される読取信号を基に目標記録位置における情報の記録品質を測定する記録品質測定手段をさらに備え、前記外周部記録手段は、前記記録品質測定手段で測定した記録品質が基準を満たしている場合に、前記内周部記録手段によるのと同じ内周部用記録補償パラメータ及び情報記録用パワーの記録光で情報の記録動作を継続し、記録品質が基準を満たしていない場合に、記録補償パラメータの値を変更して、前記外周部用パラメータ設定手段で設定した外周部用記録補償パラメータ及び情報記録用パワーの記録光で情報の記録動作を継続するものである。
【発明の効果】
【００１３】
請求項１の発明によれば、光ディスクの内周部では、内周部用記録補償パラメータの記録光で情報が記録され、光ディスクの外周部では、外周部用記録補償パラメータの記録光で情報が記録されるため、光ディスク上の情報記録位置による記録品質の差異を低減でき、記録品質の最適化を行うことができる。しかも、光ディスクの目標記録位置における情報の記録品質が基準を満たしている場合には、光ディスクの内周部に情報を記録したのと同じ内周部用記録補償パラメータの記録光により光ディスクの外周部に情報が記録されるため、光ディスク上の情報記録位置による記録品質の差異をより一層低減でき、より一層記録品質の最適化を行うことができる。また、テスト用の記録マークを読取ったときの読取信号のジッタ及びエラーレートが適正な範囲内でない場合に、変調度を基にマルチパルス幅を変更し、また、アシンメトリを基にクーリングパルス幅を変更することにより、外周部用記録補償パラメータをより適切に設定することができ、これにより、光ディスク上の情報記録位置による記録品質の差異をより一層低減でき、より一層記録品質の最適化を行うことができる。
【００１４】
請求項２の発明によれば、光ディスクの内周部では、内周部用記録補償パラメータの記録光で情報が記録され、光ディスクの外周部では、外周部用記録補償パラメータの記録光で情報が記録されるため、光ディスク上の情報記録位置による記録品質の差異を低減でき、記録品質の最適化を行うことができる。
【００１５】
請求項３の発明によれば、光ディスクの目標記録位置における情報の記録品質が基準を満たしている場合には、光ディスクの内周部に情報を記録したのと同じ内周部用記録補償パラメータの記録光により光ディスクの外周部に情報が記録されるため、光ディスク上の情報記録位置による記録品質の差異をより一層低減でき、より一層記録品質の最適化を行うことができる。
【発明を実施するための最良の形態】
【００１６】
以下、本発明を具体化した実施形態による光ディスク記録再生装置について図面を参照して説明する。図１は、光ディスク記録再生装置の構成を示す。光ディスク記録再生装置１は、ＣＤやＤＶＤ等の光ディスク２に対して情報の記録、再生を行う装置である。この光ディスク記録再生装置１は、光ディスク２として、例えばＤＶＤ−ＲＷ等の相変化型の書換え可能なディスクを扱うようになっており、このような書き換え可能な光ディスク２に対して情報の記録、再生を行うようになっている。また、この光ディスク処理装置１は、パルス変調したレーザ光で光ディスク２に記録マークを形成することにより光ディスク２に情報を記録するようになっており、記録マークを形成するためのレーザ光（記録光）のパワー及びパルス変調に関する記録補償パラメータを最適に設定するテスト記録動作を行うようになっている。
【００１７】
光ディスク記録再生装置１は、光ディスク記録再生装置１を制御するためのＣＰＵ等からなる制御部（テスト記録手段、本番記録手段）１１と、ディスクセンサ１２と、スピンドルモータ１３と、シークモータ１４と、レーザ駆動部１５と、光ヘッド１６と、映像／音声エンコーダ１７と、変調処理部１８と、イコライザ１９と、復調処理部２０と、エラー訂正処理部２１と、映像／音声デコーダ２２と、変調度測定部２３と、アシンメトリ測定部２４と、ジッタ測定部２５と、エラーレート測定部２６と、パラメータ記憶部２７と、ＲＡＭ２８と、リモコン２９と、リモコン受信部３０とを備える。
【００１８】
ディスクセンサ１２は、光ディスク２がディスク挿入部（不図示）から挿入されたことを検出し、その信号を制御部１１へ入力する。ディスク挿入部に挿入された光ディスク２は、スピンドルモータ１３に装着される。スピンドルモータ１３は、制御部１１による制御のもと回転駆動されて、装着された光ディスク２を回転させる。シークモータ１４は、リニアモータから成り、制御部１１による制御のもと、光ヘッド１６を光ディスク２の半径方向に移動（シーク動作）させる。レーザ駆動部１５は、制御部１１による制御のもと、光ヘッド１６から出射するレーザ光のパワー及び発光タイミングを制御する。
【００１９】
光ヘッド１６は、スピンドルモータ１３により回転される光ディスク２にパルス変調したレーザ光（記録光）を照射して、光ディスク２に周囲よりも反射率の低い記録マークを形成することにより、光ディスク２に情報を記録する。記録マークは、レーザ光の照射された箇所の記録層材質が相変化を起こすことにより形成され、情報は、記録しようとする情報に応じて多数の記録マークが配列して形成されることにより記録される。
【００２０】
また、光ヘッド１６は、スピンドルモータ１３により回転される光ディスク２にレーザ光を照射して、光ディスク２からの反射光を受光し、その反射光強度に応じた電圧レベルの読取信号を出力することにより、光ディスク２に記録されている情報を読取る。光ディスク２から情報を読取るためのレーザ光のパワーは、光ディスク２に記録マークを形成するためのパワーよりも弱められ、光ディスク２の材質が相変化を起こさないパワーとされる。
【００２１】
光ヘッド１６から出力される読取信号は、光ディスク２からの反射光強度に依存する。従って、光ヘッド１６から出力される読取信号は、光ヘッド１６からのレーザ光が記録マークの形成されていない箇所に照射されているときは、電圧レベルが高く、光ヘッド１６からのレーザ光が記録マークの形成箇所に照射されているときは、電圧レベルが低くなる。情報が記録された光ディスク２には、多数の記録マークが形成されており、また、情報の読取時には、光ディスク２が高速で回転している。従って、光ディスク２からの情報読取時に光ヘッド１６から出力される読取信号は、記録マークの有無に応じて電圧レベルが変化し、高周波成分を持ったＲＦ（Ｒａｄｉｏ  Ｆｒｅｑｕｅｎｃｙ）信号となる。
【００２２】
映像／音声エンコーダ１７は、不図示のテレビ放送受像機等の外部装置から入力される映像信号及び音声信号を、光ディスク２に情報を記録するための記録信号に符号化する。変調処理部１８は、映像／音声エンコーダ１７により符号化された記録信号を、光ディスク２に記録するためのＥＦＭ（Ｅｉｇｈｔ  ｔｏ  ｆｏｕｒｔｅｅｎ  Ｍｏｄｕｌａｔｉｏｎ）信号（データ信号）に変調する。光ヘッド１６による光ディスク２への情報の記録は、変調処理部１８で変調されたＥＦＭ信号を基に、制御部１１によってスピンドルモータ１３、シークモータ１４、及びレーザ駆動部１５が制御されることにより行われる。
【００２３】
イコライザ１９は、光ヘッド１６から出力される読取信号をブーストすると共に、読取信号に含まれるノイズ周波数成分をカットオフして、読取信号の波形を等化する。光ヘッド１６による光ディスク２からの情報の読取は、制御部１１によってスピンドルモータ１３、シークモータ１４、及びレーザ駆動部１５が制御されることにより行われる。
【００２４】
復調処理部２０は、イコライザ１９により波形が等化された後の読取信号を復調することにより、光ディスク２に記録されている記録信号（情報）を再生する。エラー訂正処理部２１は、イコライザ１９により波形が等化され復調処理部２０にて復調された後の読取信号を検査し、その読取信号に含まれる誤りを検出して、その誤りを訂正する。これにより、光ディスク２に記録されている記録信号（情報）が再生される。映像／音声デコーダ２２は、エラー訂正処理部２１から出力される再生信号（記録信号）を映像信号及び音声信号に復号して、不図示のディスプレイ及びスピーカに出力する。
【００２５】
変調度測定部２３は、光ヘッド１６から出力される読取信号の変調度を測定する。アシンメトリ測定部２４は、光ヘッド１６から出力される読取信号のアシンメトリを測定する。ジッタ測定部２５は、光ヘッド１６から出力される読取信号のジッタを測定する。エラーレート測定部２６は、エラー訂正処理部２１による読取信号の誤り検出率を測定する。
【００２６】
パラメータ記憶部２７は、記録マークを形成するためのレーザ光（記録光）のパルス変調に関する記録補償パラメータを、各製造メーカの光ディスク２毎に各製造メーカＩＤと対応付けて予め記憶している。ＲＡＭ２８は、制御部１１による制御のもと、テスト記録動作により設定された記録マークを形成するためのレーザ光（記録光）のパワー及び記録補償パラメータを記憶する。
【００２７】
リモコン２９は、光ディスク２からの情報の記録、再生等、光ディスク記録再生装置１の各種動作を指示するためにユーザにより操作されるものである。リモコン２９は、光ディスク記録再生装置１の各種動作を指示するためにユーザに操作される各種操作キーを備えており、各種操作キーが操作されることにより、その操作に対応付けられた赤外線信号を送出する。リモコン受信部３０は、リモコン２９から送出される赤外線信号を受信して電気信号に変換し、リモコン２９の操作に対応する信号を制御部１１へ出力する。
【００２８】
制御部１１は、リモコン受信部３０からの出力信号を基にリモコン２９の操作による指示内容を判断すると共に、ディスクセンサ１２からの検出出力を基に光ディスク２の挿入有無を判断する。そして、制御部１１は、それらリモコン２９の操作による指示内容及び光ディスク２の挿入有無に基づいて、光ディスク２に対する情報の記録、再生等、光ディスク記録再生装置１の各種動作を制御する。
【００２９】
また、制御部１１は、記録マークを形成するためのレーザ光（記録光）のパワー及びパルス変調に関する記録補償パラメータを最適に設定するテスト記録動作を制御する。テスト記録動作では、光ディスク２に情報を記録するときの最適なパワーである情報記録用パワー、光ディスク２の内周部に情報を記録するときの最適な記録補償パラメータである内周部用記録補償パラメータ、及び光ディスク２の外周部に情報を記録するときの最適な記録補償パラメータである外周部用記録補償パラメータを設定する。これらは、光ヘッド１６により光ディスク２にテスト用の記録マークを形成し、そのテスト用の記録マークを光ヘッド１６により読取り、そのときに光ヘッド１６から出力される読取信号を基に求められる。
【００３０】
光ディスク２への情報の記録は、光ディスク２に多数の記録マークを配列して形成することにより行われる。記録マークは、ｍＴマーク（ｍ＝３，４，５，・・・）と呼ばれる長さの異なる複数種のものがある。各記録マークの間には、記録マークを形成していない記録スペースが設けられる。記録スペースにも、ｎＴスペース（ｎ＝３，４，５，・・・）と呼ばれる長さの異なる複数種のものがある。これらｍＴマーク及びｎＴスペースが光ディスク２に配列して形成されることにより、光ディスク２に情報が記録される。
【００３１】
図２は、上記変調処理部１８により生成される光ディスク２に情報を記録するためのＥＦＭ（データ）信号を示し、図３は、上記光ヘッド１６から出射される光ディスク２に情報を記録するためのレーザ光の出力パワーを示す。図２に示すＥＦＭ信号は、３Ｔマーク、３Ｔスペース、４Ｔマークの配列を形成するときのものであり、図３に示すレーザ光の出力パワーは、３Ｔマーク、３Ｔスペース、４Ｔマークを形成するときのものである。
【００３２】
ＥＦＭ信号は、ハイ及びローの２値の信号であり、光ディスク２に形成しようとする記録マーク及び記録スペースの配列と各記録マーク及び各記録スペースの長さを表している。すなわち、ＥＦＭ信号は、各ハイ区間の長さが記録マークの長さに対応し、各ロー区間の長さが記録スペースの長さに対応し、ハイ区間及びロー区間の順番が記録マーク及び記録スペースの配列に対応している。
【００３３】
光ディスク２に情報を記録するためのレーザ光は、光ディスク２に形成しようとする記録マーク及び記録スペースの配列と各記録マーク及び各記録スペースの長さに応じて出力パワーが可変されるようになっており、記録マークを形成するための記録光５０と記録スペースを形成するためのイレース光６０とを含んでいる。記録光５０は、トップパルス５１、マルチパルス５２、及びクーリングパルス５３により、ピークパワーＰｐとバイアスパワーＰｂの２値の出力パワーとなるようにパルス変調される。トップパルス５１は、記録光５０の先頭に１つ設けられるパルスである。マルチパルス５２は、トップパルス５１に続くパルスであり、３Ｔマークを形成する場合は１つ設けられ、４Ｔマークを形成する場合は２つ設けられ、記録マークの長さに応じて１つずつ追加して設けられる。クーリングパルス５３は、記録光５０の最後尾に１つ設けられるパルスである。イレース光６０は、イレースパワーＰｅの一定の出力パワーに保たれ、記録スペースの長さに応じて出力時間が変化される。
【００３４】
上記パラメータ記憶部２７は、記録光５０のパルス変調に関する記録補償パラメータとして、各製造メーカの光ディスク２毎に、適切であるとされるトップパルス幅Ｗｔ、マルチパルス幅Ｗｍ、及びクーリングパルス幅Ｗｃを予め記憶している。上記テスト記録動作では、記録光５０のパワーとして、ピークパワーＰｐ及びバイアスパワーＰｂが設定され、また、記録補償パラメータとして、トップパルス幅Ｗｔ、マルチパルス幅Ｗｍ、及びクーリングパルス幅Ｗｃが設定される。
【００３５】
図４は、上記光ディスク記録再生装置１のテスト記録動作のフローチャートを示す。テスト記録動作では、まず、制御部１１は、光ヘッド１６により光ディスク２のＬａｎｄ  Ｐｒｅ  Ｐｉｔ情報を読取って（＃１）、Ｌａｎｄ  Ｐｒｅ  Ｐｉｔ情報から光ディスク２の製造メーカＩＤを取得する（＃２）。そして、制御部１１は、光ディスク２の製造メーカＩＤを基に、パラメータ記憶部２７から該当する製造メーカの記録補償パラメータ（トップパルス幅、マルチパルス幅、及びクーリングパルス幅）を読出し、その記録補償パラメータを内周部用記録補償パラメータとしてＲＡＭ２８に設定する（＃３）。＃３の処理が内周部用パラメータ設定手段を構成している。
【００３６】
また、制御部１１は、光ヘッド１６により、内周部用記録補償パラメータで幾つかの異なるパワー（ピークパワー及びバイアスパワー）の記録光によって、光ディスク２の内周部にテスト用の記録マークを形成する（＃４）。その後、制御部１１は、光ヘッド１６により、このテスト用の記録マークを読取り、変調度測定部２３、アシンメトリ測定部２４、ジッタ測定部２５、及びエラーレート測定部２６により、テスト用の記録マークを読取ったときの読取信号の変調度、アシンメトリ、ジッタ、及びエラーレートを測定する（＃５）。そして、制御部１１は、変調度、アシンメトリ、ジッタ、及びエラーレートを基に情報の記録品質が最適となるパワー（ピークパワー及びバイアスパワー）を算出し、そのパワーを情報記録用パワーとしてＲＡＭ２８に設定する（＃６）。＃４〜＃６の処理が情報記録パワー設定手段を構成している。
【００３７】
また、制御部１１は、光ヘッド１６により、内周部用記録補償パラメータで情報記録用パワーの記録光によって、光ディスク２の外周部にテスト用の記録マークを形成する（＃７）。その後、制御部１１は、光ヘッド１６により、このテスト用の記録マークを読取り、変調度測定部２３、アシンメトリ測定部２４、ジッタ測定部２５、及びエラーレート測定部２６により、テスト用の記録マークを読取ったときの読取信号の変調度、アシンメトリ、ジッタ、及びエラーレートを測定する（＃８）。
【００３８】
そして、制御部１１は、ジッタ及びエラーレートが適正な範囲内であるか否かを判別し（＃９）、ジッタ及びエラーレートが適正な範囲内でない場合に、変調度が目標値付近であるか否かを判別する（＃１０）。変調度が目標値付近でないと判別された場合（＃１０でＮＯ）、変調度が目標値よりも大きければ（＃１１でＹＥＳ）、記録補償パラメータのマルチパルス幅を１ステップ（＝０．０１Ｔ）長く変更し（＃１２）、変調度が目標値よりも小さければ（＃１１でＮＯ）、記録補償パラメータのマルチパルス幅を１ステップ（＝０．０１Ｔ）短く変更する（＃１３）。そして、制御部１１は、それらマルチパルス幅を変更した後の記録光によって光ディスク２の外周部にテスト用の記録マークを形成して（＃１４）、上記＃８以降の処理を繰り返す。
【００３９】
一方、変調度が目標値付近であると判別された場合（＃１０でＹＥＳ）、アシンメトリが目標値付近であるか否かを判別する（＃１５）。アシメトリが目標値付近でないと判別された場合（＃１５でＮＯ）、アシンメトリが目標値よりも大きければ（＃１６でＹＥＳ）、記録補償パラメータのクーリングパルス幅を１ステップ（＝０．０１Ｔ）短く変更し（＃１７）、アシンメトリが目標値よりも小さければ（＃１７でＹＥＳ）、記録補償パラメータのクーリングパルス幅を１ステップ（＝０．０１Ｔ）長く変更する（＃１８）。そして、制御部１１は、それらクーリングパルス幅を変更した後の記録光によって光ディスク２の外周部にテスト用の記録マークを形成して（＃１９）、上記＃８以降の処理を繰り返す。
【００４０】
そして、制御部１１は、上記＃９でジッタ及びエラーレートが適正な範囲内であると判別された場合（＃９でＹＥＳ）、又は上記＃１５でアシメトリが目標値付近であると判別された場合に（＃１５でＹＥＳ）、そのときの記録補償パラメータを外周部用記録補償パラメータとしてＲＡＭ２８に設定する（＃２０）。＃７〜＃２０の処理が外周部用パラメータ設定手段を構成している。そして、制御部１１は、テスト記録動作を終了する。
【００４１】
このようなテスト記録動作は、例えば、光ディスク記録再生装置１に光ディスク２が挿入されたときや、光ディスク２に情報の記録を開始する直前（リモコン２９による記録指示がなされたときやタイマ予約により記録開始するとき等）に行われ、テスト記録動作により設定されたパワー及び記録補償パラメータの記録光によって、光ディスク２への情報の記録動作すなわち本番記録動作が行われる。
【００４２】
図５は、上記光ディスク記録再生装置１の本番記録動作のフローチャートを示す。本番記録動作では、まず、制御部１１は、テスト記録動作で設定した内周部用記録補償パラメータ及び情報記録用パワーの記録光により、光ディスク２の内周部から情報の記録を開始する（＃２１）。＃２１の処理が内周部記録手段を構成している。
【００４３】
目標記録位置（例えば半径５５ｍｍの位置）まで情報を記録すると（＃２２）、制御部１１は、光ヘッド１６により、目標記録位置に記録した情報を読取り、変調度測定部２３、アシンメトリ測定部２４、ジッタ測定部２５、及びエラーレート測定部２６により、目標記録位置に記録した情報を読取ったときの読取信号のジッタ、エラーレート、変調度、及びアシンメトリを測定する（＃２３）。＃２２及び＃２３の処理が記録品質測定手段を構成している。
【００４４】
そして、ジッタ及びエラーレートが適正な範囲内である場合（＃２４でＹＥＳ）、制御部１１は、目標記録位置における情報の記録品質が基準を満たしているとして、記録補償パラメータ及びパワーを変更せずに、光ディスク２の内周部に情報を記録したのと同じ内周部用記録補償パラメータ及び情報記録用パワーの記録光により、情報の記録動作を継続する（＃２５）。
【００４５】
一方、ジッタ及びエラーレートが適正な範囲内でない場合（＃２４でＮＯ）、変調度が目標値付近でなければ（＃２６でＮＯ）、又は、アシンメトリが目標値付近でなければ（＃２７でＮＯ）、制御部１１は、目標記録位置における情報の記録品質が基準を満たしていないとして、記録補償パラメータを変更して、テスト記録動作で設定した外周部用記録補償パラメータ及び情報記録用パワーの記録光により、情報の記録動作を継続する（＃２８）。なお、変調度及びアシンメトリの両方が目標値付近であれば（＃２７でＹＥＳ）、制御部１１は、目標記録位置における情報の記録品質が基準を満たしているとして、記録補償パラメータ及びパワーを変更せずに、光ディスク２の内周部に情報を記録したのと同じ内周部用記録補償パラメータ及び情報記録用パワーの記録光により、情報の記録動作を継続する（＃２５）。＃２４〜＃２８の処理が外周部記録手段を構成している。
【００４６】
その後、光ディスク２の最外周まで情報を記録すると（＃２９）、制御部１１は、本番記録動作を終了する。
【００４７】
このような構成の光ディスク記録再生装置１によれば、光ディスク２の内周部では、内周部用記録補償パラメータの記録光で情報が記録され、光ディスク２の外周部では、外周部用記録補償パラメータの記録光で情報が記録される。これにより、光ディスク２上の情報記録位置による記録品質の差異を低減でき、記録品質の最適化を行うことができる。
【００４８】
しかも、光ディスク２の目標記録位置における情報の記録品質が基準を満たしている場合には、光ディスク２の内周部に情報を記録したのと同じ記録補償パラメータの記録光により光ディスクの外周部に情報が記録される。これにより、光ディスク２上の情報記録位置による記録品質の差異をより一層低減でき、より一層記録品質の最適化を行うことができる。
【００４９】
また、外周部用記録補償パラメータは、テスト用の記録マークを読取ったときの読取信号のジッタ及びエラーレートが適正な範囲内でない場合に、変調度を基にマルチパルス幅を変更し、また、アシンメトリを基にクーリングパルス幅を変更することにより、より最適な値に設定することができる。これにより、光ディスク２上の情報記録位置による記録品質の差異をより一層低減でき、より一層記録品質の最適化を行うことができる。
【００５０】
なお、本発明は、上記実施形態の構成に限られず、種々の変形が可能である。例えば、上記実施形態において、パラメータ記憶部２７に記憶されている記録補償パラメータを内周部用記録補償パラメータとして設定することに代えて、テスト用の記録マークを形成し、そのテスト用の記録マークを読取ったときの読取信号を基に内周部用記録補償パラメータを求めて設定するようにしてもよい。情報記録用パワーは、内周部用と外周部用に各々異なるパワーに設定するようにしてもよい。
【００５１】
また、光ディスク２は、書換え可能型のディスクに限られず、追記型のディスクであってもよい。すなわち、本発明は、書換え可能型のディスクに対して情報の記録を行うものに限られず、追記型のディスクに対して情報の記録、再生を行う装置にも適用できる。
【図面の簡単な説明】
【００５２】
【図１】本発明の一実施形態に係る光ディスク記録再生装置の概略構成を示す電気的ブロック構成図。
【図２】同光ディスク記録再生装置の光ディスクに情報を記録するためのＥＦＭ信号を示す図。
【図３】同光ディスク記録再生装置の光ディスクに情報を記録するためのレーザ光の出力パワーを示す図。
【図４】同光ディスク記録再生装置のテスト記録動作を示すフローチャート。
【図５】同光ディスク記録再生装置の本番記録動作を示すフローチャート。
【符号の説明】
【００５３】
１    光ディスク記録再生装置
２    光ディスク
１１    制御部（テスト記録手段、本番記録手段）
１２    ディスクセンサ
１３    スピンドルモータ
１４    シークモータ
１５    レーザ駆動部
１６    光ヘッド
１７    映像／音声エンコーダ
１８    変調処理部
１９    イコライザ
２０    復調処理部
２１    エラー訂正部
２２    映像／音声デコーダ
２３    変調度測定部
２４    アシンメトリ測定部
２５    ジッタ測定部
２６    エラーレート測定部
２７    パラメータ記憶部
２８    ＲＡＭ
２９    リモコン
３０    リモコン受信部
【図１】
2007035220.tif 000003
【図２】
2007035220.tif 000004
【図３】
2007035220.tif 000005
【図４】
2007035220.tif 000006
【図５】
2007035220.tif 000007